(57)【要約】【課題】発光素子を発光させるために各画素に対して供給される電力を、表示領域内の位置に応じて制御できる画像表示装置を提供する。【解決手段】表示領域ＳＡ内に配置された複数の画素のそれぞれに含まれる発光素子を発光させることによって画像を表示する画像表示装置であって、表示領域ＳＡを分割してなる複数の部分領域のそれぞれに対して、当該部分領域に属する各画素の発光素子を発光させるための電力を、他の部分領域とは独立に供給する電力供給路と、当該電力供給路が各部分領域に対して供給する電力を制御する電力制御部と、を含む画像表示装置である。【選択図】図５
2010164619.tif 000002
【特許請求の範囲】
【請求項１】
表示領域内に配置された複数の画素のそれぞれに含まれる発光素子を発光させることによって画像を表示する画像表示装置において、
前記表示領域を分割してなる複数の部分領域のそれぞれに対して、当該部分領域に属する各画素の発光素子を発光させるための電力を、他の部分領域とは独立に供給する電力供給路と、
前記電力供給路が前記各部分領域に対して供給する電力を制御する電力制御部と、
を含むことを特徴とする画像表示装置。
【請求項２】
請求項１記載の画像表示装置において、
前記電力制御部は、前記各部分領域の位置に応じて、当該部分領域に対して前記電力供給路が供給する電力を制御する
ことを特徴とする画像表示装置。
【請求項３】
請求項２記載の画像表示装置において、
前記電力制御部は、前記各部分領域の前記表示領域中心からの距離に応じて、当該部分領域に対して前記電力供給路が供給する電力を制御する
ことを特徴とする画像表示装置。
【請求項４】
請求項１記載の画像表示装置において、
前記電力制御部は、前記各部分領域内に表示する画像の内容に応じて、当該部分領域に対して前記電力供給路が供給する電力を制御する
ことを特徴とする画像表示装置。
【請求項５】
請求項４記載の画像表示装置において、
前記電力制御部は、前記各部分領域内に表示する画像の明るさを示す指標値に応じて、当該部分領域に対して前記電力供給路が供給する電力を制御する
ことを特徴とする画像表示装置。
【請求項６】
請求項１記載の画像表示装置において、
前記部分領域の少なくとも一部は、隣接する他の部分領域と重なり合う領域を含んでいる
ことを特徴とする画像表示装置。
【請求項７】
請求項１記載の画像表示装置において、
前記部分領域の少なくとも一部は、前記表示領域内において互いに分離した複数の小領域から構成される
ことを特徴とする画像表示装置。
【請求項８】
請求項１記載の画像表示装置において、
前記発光素子は、有機エレクトロルミネセンス素子であって、
前記電力供給路から供給される電流を前記有機エレクトロルミネセンス素子に流すことにより、当該有機エレクトロルミネセンス素子が発光する
ことを特徴とする画像表示装置。
【発明の詳細な説明】
【技術分野】
【０００１】
本発明は、例えば有機エレクトロルミネッセンス素子などの発光素子を発光させて画素の表示制御を行う画像表示装置に関する。
【背景技術】
【０００２】
画素ごとの輝度を制御して画像を表示する画像表示装置の中には、例えば発光素子として有機エレクトロルミネッセンス素子（以下、有機ＥＬ素子という）を備えた有機エレクトロルミネッセンス表示装置（以下、有機ＥＬ表示装置という）のように、各画素に設けられた発光素子を発光させることによって、画素の表示制御を行うものがある。
【０００３】
このような画像表示装置においては、一般に、画面の明るさを明るくする（高輝度化する）ことが望まれる。ところが、高輝度化を実現するためには電力消費量を増やす必要があり、消費電力の低減という要請には反することになる。そこで、特に人の目から見た画面の明るさとして重要なのは画面中央近傍の輝度であることに着目して、画面中央部の輝度を高めることによって消費電力の増大を抑えつつ見た目の明るさを向上させたり、あるいは画面周縁部の輝度を下げることによって見た目の明るさを犠牲にすることなく消費電力を抑制したりする技術が提案されている(特許文献１及び特許文献２など）。
【先行技術文献】
【特許文献】
【０００４】
【特許文献１】特開平６−２８２２４１号公報
【特許文献２】特開２００８−１５８３９９号公報
【発明の概要】
【発明が解決しようとする課題】
【０００５】
前述した発光素子を発光させて画素の表示制御を行う画像表示装置においては、装置全体の消費電力に対して、各発光素子を発光させるために供給される電力の占める割合が大きい。上記従来例の技術においては、たとえ画面周縁部の輝度を下げたとしても、画面中央部の画素を高輝度で発光させるために、各画素の発光素子に対して印加する電圧自体を下げることはできず、したがって発光素子を発光させるために必要な消費電力を十分に抑制することはできないと考えられる。
【０００６】
また、上述したような画像表示装置において、各画素の発光素子は、電源線から供給される電流や電圧の大きさに応じた明るさで発光する。そのため、電源線から供給される電力の大きさが画素ごとに不均一になってしまうと、表示画面全体の明るさも不均一になってしまうおそれがある。ところが、通常、電源線は複数の画素に対して共通して電力供給を行う。また、画素の発光制御は、画面全体、あるいは画素行ごとなどの単位で、複数の画素に対して共通するタイミングで実行される。そのため、複数の画素を同時期に発光させようとすると、同じ電源線から複数の発光素子に一斉に電流が流れて、各画素に供給される電力の大きさが低下してしまう。さらに、このような電力の低下の度合いは、電源線の抵抗などの影響により、電力供給源から各画素の位置までの電源線の距離などに依存して変化することとなる。これによって、画素ごとの明るさが画素の画面内における位置に依存して変化する画面内輝度傾斜（輝度シェーディング）が生じる場合がある。
【０００７】
本発明は、以上説明したような実情を考慮してなされたものであって、その目的の一つは、発光素子を発光させるために各画素に対して供給される電力を、表示領域内の位置に応じて制御することのできる画像表示装置を提供することにある。
【課題を解決するための手段】
【０００８】
本出願において開示される発明のうち、代表的なものの概要を簡単に説明すれば、以下のとおりである。
【０００９】
（１）表示領域内に配置された複数の画素のそれぞれに含まれる発光素子を発光させることによって画像を表示する画像表示装置において、前記表示領域を分割してなる複数の部分領域のそれぞれに対して、当該部分領域に属する各画素の発光素子を発光させるための電力を、他の部分領域とは独立に供給する電力供給路と、前記電力供給路が前記各部分領域に対して供給する電力を制御する電力制御部と、を含むことを特徴とする画像表示装置。
【００１０】
（２）（１）において、前記電力制御部は、前記各部分領域の位置に応じて、当該部分領域に対して前記電力供給路が供給する電力を制御することを特徴とする画像表示装置。
【００１１】
（３）（２）において、前記電力制御部は、前記各部分領域の前記表示領域中心からの距離に応じて、当該部分領域に対して前記電力供給路が供給する電力を制御することを特徴とする画像表示装置。
【００１２】
（４）（１）において、前記電力制御部は、前記各部分領域内に表示する画像の内容に応じて、当該部分領域に対して前記電力供給路が供給する電力を制御することを特徴とする画像表示装置。
【００１３】
（５）（４）において、前記電力制御部は、前記各部分領域内に表示する画像の明るさを示す指標値に応じて、当該部分領域に対して前記電力供給路が供給する電力を制御することを特徴とする画像表示装置。
【００１４】
（６）（１）において、前記部分領域の少なくとも一部は、隣接する他の部分領域と重なり合う領域を含んでいることを特徴とする画像表示装置。
【００１５】
（７）（１）において、前記部分領域の少なくとも一部は、前記表示領域内において互いに分離した複数の小領域から構成されることを特徴とする画像表示装置。
【００１６】
（８）（１）において、前記発光素子は、有機エレクトロルミネセンス素子であって、前記電力供給路から供給される電流を前記有機エレクトロルミネセンス素子に流すことにより、当該有機エレクトロルミネセンス素子が発光することを特徴とする画像表示装置。
【図面の簡単な説明】
【００１７】
【図１】本発明の実施の形態に係る画像表示装置の外観を示す概要図である。
【図２】本発明の実施の形態に係る画像表示装置においてガラス基板上に形成される回路の概略構成を示す図である。
【図３】画素回路の構成例を示す回路図である。
【図４】画素の断面構造の一例を示す断面図である。
【図５】第１実施形態に係る画像表示装置における表示領域の概要を示す概略平面図である。
【図６】本発明の実施の形態に係る画像表示装置が備える機能の一例を示す機能ブロック図である。
【図７】本発明の実施の形態に係る画像表示装置が実行する制御フローの一例を示すフロー図である。
【図８】表示領域の図である。
【図９Ａ】表示画面内の輝度分布の一例を示す図である。
【図９Ｂ】表示画面内の輝度分布の一例を示す図である。
【図１０】第２実施形態に係る画像表示装置における表示領域の概要を示す概略平面図である。
【図１１Ａ】表示画面内の輝度分布の別の例を示す図である。
【図１１Ｂ】表示画面内の輝度分布の別の例を示す図である。
【図１２】第３実施形態に係る画像表示装置における表示領域の概要を示す概略平面図である。
【発明を実施するための形態】
【００１８】
以下、本発明の実施の形態について、図面を参照しながら詳細に説明する。なお、以下では、画像表示装置の一態様である有機ＥＬ表示装置に本発明を適用した場合を例として説明する。
【００１９】
［第１実施形態］
まず、本発明の第１の実施形態に係る画像表示装置について、説明する。図１は、本実施形態に係る画像表示装置の外観を示す概要図である。同図に示されるように、本実施形態に係る画像表示装置１は、画像を表示する表示領域を含んだ表示パネル２と、表示パネル２に接続されたフレキシブルプリント基板３と、フレキシブルプリント基板３に接続されたリジッド基板４と、を含んで構成されている。なお、リジッド基板４は、例えば接着剤や両面テープで表示パネル２に固定されてもよいし、画像表示装置１の筐体フレームにネジ等で固定されてもよい。
【００２０】
さらに、表示パネル２は、発光素子である有機ＥＬ素子をそれぞれ含む複数の画素回路が行列状に形成されたガラス基板と、当該ガラス基板に貼り合わされて有機ＥＬ素子を封止する封止基板と、表示パネル２の表示領域部分が開口するように封止基板を囲んだ前面フレームＦＦと、その反対側からガラス基板を囲み、スナップフィットにより前面フレームＦＦに固定された裏面フレームＢＦと、を含んで構成されている。さらに、前面フレームＦＦの表示領域に対応する開口部分には偏光板ＰＰが貼り合わされている。
【００２１】
ガラス基板上には、薄膜トランジスタ（ＴＦＴ）が形成され、この薄膜トランジスタを介して有機ＥＬ素子の発光が制御されることによって、画素毎の表示制御が行われる。図２は、ガラス基板上に実装される画素回路の概略構成の一例を示す図である。同図に示されるように、画像表示装置１の表示領域内にはそれぞれ発光素子を備えた複数の画素回路１０が行列状に配置されており、各画素回路１０には、データ信号線ＤＡＴ、点灯スイッチ制御線ＩＬＭ、リセットスイッチ制御線ＲＥＳ、及び電源線ＰＷＲが接続される。データ信号線ＤＡＴは、表示画面の上下方向（図２のｙ軸方向）に沿って延在し、表示画面の左右方向（図２のｘ軸方向）に沿って互いに並んで複数本配置してある。また、点灯スイッチ制御線ＩＬＭ及びリセットスイッチ制御線ＲＥＳは、いずれも表示画面の左右方向（図２のｘ軸方向）に沿って延在し、表示装置の上下方向（図２のｙ軸方向）にそって互いに並んで複数本配置してある。すなわち、ｘ軸方向に一列に並んだ複数の画素回路１０が１つの画素行Ｐrowを構成し、同じ画素行Ｐrowに属する各画素回路１０に対しては、共通する点灯スイッチ制御線ＩＬＭ及びリセットスイッチ制御線ＲＥＳが接続される。また、ｙ軸方向に一列に並んだ複数の画素回路１０が１つの画素列Ｐcolを構成し、同じ画素列Ｐcolに属する各画素回路１０に対しては、共通するデータ信号線ＤＡＴが接続される。
【００２２】
さらに、図２に示されるように、電源線ＰＷＲは表示領域内において格子状に配置されている。すなわち、図中ｘ軸方向及びｙ軸方向それぞれに互いに並んで複数本の電源線ＰＷＲが延在しており、ｘ軸方向に延びる電源線ＰＷＲとｙ軸方向に延びる電源線ＰＷＲとは、その交点で電気的に接続されている。この電源線ＰＷＲを介して、各画素回路１０内の発光素子を駆動するための電力が供給される。このように電源線ＰＷＲが格子状に配置されることによって、電源線ＰＷＲの電気抵抗に起因する、電源線ＰＷＲを介して各画素に供給される電圧の降下を抑えることができる。なお、ｘ軸方向に延びる電源線ＰＷＲとｙ軸方向に延びる電源線ＰＷＲとは互いに同種の材料によって形成されてもよいし、異なる材料により形成されてもよい。また、各方向に延びる複数本の電源線ＰＷＲは、各画素行または各画素列に１対１に対応して配置されてもよいし、複数行の画素行または複数列の画素列ごとに間隔をおいて配置されてもよい。図２の例では、ｙ軸方向に延びる電源線ＰＷＲは画素列ごとに１本配置され、ｘ軸方向に延びる電源線ＰＷＲは２行の画素行ごとに１本配置されている。
【００２３】
なお、図２においては３行３列の計９個の画素回路１０のみが示されているが、実際には表示パネルを構成する画素数に応じた数の画素回路がガラス基板上に行列状に配置される。例えばデジタルスチルカメラ等に用いられる水平方向６４０画素、垂直方向４８０画素の解像度の表示パネルの場合、各画素は赤（Ｒ）、緑（Ｇ）、青（Ｂ）それぞれの色に対応する３つのサブ画素から構成され、各サブ画素に対応して画素回路１０が形成される。したがって、縦方向に４８０行、横方向に６４０×３＝１９２０列で計（４８０×６４０×３）個の画素回路１０がガラス基板上に形成されることとなる。なお、以降の説明においては、１個の画素回路１０によって構成されるサブ画素のそれぞれを、単に画素と表記する。
【００２４】
さらに、各データ信号線ＤＡＴの一端はデータ信号出力回路１２に、点灯スイッチ制御線ＩＬＭ及びリセットスイッチ制御線ＲＥＳの一端はいずれも走査回路１４に、それぞれ接続される。なお、データ信号出力回路１２及び走査回路１４は、各画素回路１０を構成するスイッチなどと同様に、ガラス基板上に多結晶シリコンＴＦＴ素子等を用いて形成されることとしてよい。あるいは、データ信号出力回路１２や走査回路１４は、ガラス基板上に搭載された１個又は複数個のドライバＩＣチップなどによって構成されてもよいし、このようなドライバＩＣチップと多結晶シリコンＴＦＴ素子等の回路素子との組み合わせによって構成されてもよい。また、電源線ＰＷＲは、その端部で複数本の主電源線Ｐｍのいずれかに接続される。本実施形態では、電源線ＰＷＲを介して各画素に発光素子を発光させるための電圧を印加する主電源線Ｐｍが、複数本ガラス基板上に配置される。主電源線Ｐｍの配置については、後述する。
【００２５】
図３は、各画素回路１０の構成例を示す回路図である。各画素回路１０には、発光素子として有機ＥＬ素子２０が設けられており、そのカソード端は共通電極２２に接続される。共通電極２２は、その電位が画像表示装置１において基準となる基準電位に設定された電極である。また、有機ＥＬ素子２０のアノード端は、ｎ型のＴＦＴによって構成される点灯スイッチ２４の一端に接続され、点灯スイッチ２４の他端は、ｐ型のＴＦＴである駆動ＴＦＴ２６を介して電源線ＰＷＲに接続される。駆動ＴＦＴ２６及び点灯スイッチ２４がともにオン状態になると、電源線ＰＷＲから共通電極２２に向かって有機ＥＬ素子２０内に電流が流れ、これによって有機ＥＬ素子２０が発光する。
【００２６】
さらに、点灯スイッチ２４の他端と駆動ＴＦＴ２６のゲートとの間には、ｎ型のＴＦＴによって構成されるリセットスイッチ２８が接続され、駆動ＴＦＴ２６のゲートにはさらに保持容量３０の一端が接続される。そして、保持容量３０の他端はデータ信号線ＤＡＴに接続される。また、図２に示されるように、点灯スイッチ２４のゲートは点灯スイッチ制御線ＩＬＭに、リセットスイッチ２８のゲートはリセットスイッチ制御線ＲＥＳに、それぞれ接続されている。これらの制御線からＶＨ（高電圧）及びＶＬ（低電圧）の二値の電圧レベルの制御信号が入力されることによって、各スイッチのオン／オフが切り替えられる。
【００２７】
この図に示す画素回路１０では、まずリセットスイッチ２８及び点灯スイッチ２４がオン状態になることによって、画素に設定された輝度情報のリセットが行われる。そして、データ信号線ＤＡＴを介して当該画素を発光させようとする輝度情報に応じた電圧レベルの信号が入力され、その情報が保持容量３０に保持される。その後、点灯スイッチ２４がオン状態になるとともに、データ信号線ＤＡＴを介して三角波などの時間とともに電圧レベルが上下する発光期間制御信号が入力されることによって、この発光期間制御信号が輝度情報に応じた閾値を下回る期間の間だけ、有機ＥＬ素子２０が発光する。これにより、予め書き込まれた輝度情報に応じて発光期間の長短が変化することとなり、この発光期間の長短によって各画素の輝度が制御される。なお、本実施形態では、輝度情報の書き込みは画素行ごとに行われるが、この発光期間制御信号の入力は表示画面内の全画素に対して一斉に行われる。そのため、１フレーム期間のうちの同じタイミングで各画素が一斉に発光することになる。
【００２８】
図４は、画像表示装置１における、表示パネル２の断面構造の一例を示す断面図である。この図４の例では、ある一つの画素を構成する有機ＥＬ素子２０及びこれに接続されるＴＦＴを含んだ部分の断面構造が示されている。なお、同図における上方向を向いた矢印は、光の放射方向を示している。
【００２９】
図４に示されるように、表示パネル２を製造する際には、まずＬＴＰＳ工程において、ガラス基板ＳＵＢ１上に、多結晶シリコンを材料としたチャネル層ＦＧ、Ｐ−ＴＥＯＳを材料としたゲート絶縁膜ＩＮＳ１、ＭｏＷを材料としたゲート配線ＳＧ、Ｐ−ＴＥＯＳを材料としたＣＯＮＴ絶縁膜ＩＮＳ２、金属材料により形成されるソース／ドレイン配線ＡＬ、Ｐ−ＳｉＮを材料としたパッシベーション層ＰＡＳを順に積層して、ＴＦＴを形成する。その後、パッシベーション層ＰＡＳの上にＴＦＴ形成によって生じた段差を平坦化するための平坦化層ＯＣを形成する。平坦化層ＯＣは、窒化シリコンなどの無機膜や、アクリル樹脂、ポリイミド樹脂などの有機膜であってよい。次に、平坦化層ＯＣ上に反射層ＡＭを形成する。反射層ＡＭは、例えばＭｏＷ（Ｍｏ：８０ｗｔ％、Ｗ：２０ｗｔ％）とＡｌＳｉ（Ｓｉ：１．０ｗｔ％以下）の二層構造によって形成される。続いて、ＩＴＯからなる陽極ＡＤを形成する。この陽極ＡＤは、ソース／ドレイン配線ＡＬと接続される。その後、ＬＴＰＳ工程の最後に、電極端部での陽極−陰極間のショートを防ぐためのＳｉＮバンクＳｉＬ２を形成する。
【００３０】
次に、ＯＬＥＤ工程において、ＲＧＢを打ち分けるための精密マスクを用いて有機ＥＬ層ＥＬを形成し、表示領域全体を覆う形でＩＺＯからなる透明陰極ＣＤを形成する。透明陰極ＣＤは薄膜化する必要があるため、隣接画素間の抵抗を小さくするように、さらに補助電極ＡＵＸを形成する。最後に、水分侵入を防ぐために乾燥剤を塗布した封止基板ＳＵＢ２をＮ２環境下で封止して、表示パネルを製造する。
【００３１】
なお、ここでは画像表示装置１がトップエミッション型の有機ＥＬ表示装置であるものとして、その断面構造を説明したが、画像表示装置１はこれに限らずボトムエミッション型の有機ＥＬ表示装置であってもよい。
【００３２】
図５は、以上説明した画素回路１０が行列状に配列することによってガラス基板ＳＵＢ１上に形成された、表示領域ＳＡの概要を示す概略平面図である。同図に示されるように、本実施形態では、表示領域ＳＡは３個の部分領域Ａ１〜Ａ３に分割されている。すなわち、表示領域ＳＡは、同じ画素列Ｐcolに属する画素が同じ部分領域に含まれるように、その上下方向（ｙ軸方向）に沿って３個に分割されている。
【００３３】
そして、各部分領域Ａ１，Ａ２及びＡ３に対して、互いに独立に各画素の発光素子を発光させるための電力供給が行われる。具体的に、部分領域Ａ１内の電源線ＰＷＲは主電源線Ｐｍ１に接続されており、部分領域Ａ１内の各画素に対してはこの主電源線Ｐｍ１を介して電力が供給される。また、部分領域Ａ２内の各画素に対しては主電源線Ｐｍ２を介して、部分領域Ａ３内の各画素に対しては主電源線Ｐｍ３を介して、それぞれ電力供給が行われる。そして、これら主電源線Ｐｍ１，Ｐｍ２及びＰｍ３は、互いに独立した電力供給路になっている。これにより、画面全体において画面内輝度傾斜を発生し難くすることができる。
【００３４】
さらに本実施形態では、これら主電源線Ｐｍ１，Ｐｍ２及びＰｍ３のそれぞれが対応する部分領域に対して供給する電力は、互いに独立して制御される。したがって、各部分領域に供給される電力は、互いに異なる大きさにすることが可能になっている。図６は、このような制御を実現するために本実施形態に係る画像表示装置１が備える機能の一例を示す機能ブロック図である。同図に示されるように、画像表示装置１は、画像データ制御部３２と、駆動回路制御部３４と、領域画像情報取得部３６と、電力制御部３８と、電源出力部４０と、を含んで構成される。これらの機能は、例えばフレキシブルプリント基板３やリジッド基板４に実装されたマイクロプロセッサ等が、予め所定の記憶領域に記憶されたプログラムを実行することによって実現されてよい。また、これらの機能の一部はデジタル回路やアナログ回路等によって実現されてもよい。
【００３５】
画像データ制御部３２は、外部から画像データ信号の入力を受け付けて、当該受け付けた画像データを表示パネル２に表示するための画像処理を実行する。駆動回路制御部３４は、この画像データ制御部３２が出力する画像データに関する信号を毎フレームごとに受け付けて、この画像データに応じた各画素の輝度情報を表示パネル２内のデータ信号出力回路１２に供給する。
【００３６】
一方、領域画像情報取得部３６及び電力制御部３８は、画像データ制御部３２から出力される画像データに関する情報を用いて、電源出力部４０から表示パネル２に供給される電力の制御を行う。図７は、この制御の具体例を示すフロー図である。
【００３７】
図７の例では、領域画像情報取得部３６は、画像データ制御部３２から画像データに関する信号を受け付けて、図６に示す部分領域ごとに、当該部分領域に含まれる画像に関する情報を取得する（Ｓ１）。電力制御部３８は、このＳ１で取得された部分領域ごとの画像に関する情報を用いて、部分領域ごとに画素の輝度情報に関する指標値を算出する（Ｓ２）。この指標値は、例えば各部分領域において所定の閾値以上の輝度で発光させるべき画素の数や、各画素の輝度を表す値の合計値など、対応する部分領域についてどの程度の明るさの画像を表示するかに関する値であってよい。
【００３８】
続いて電力制御部３８は、Ｓ２で算出した指標値に基づいて、各部分領域について出力されるべき電源電圧の値に対応する制御パラメタを決定する（Ｓ３）。この制御パラメタは、例えば０〜６３までの６ビットの値によって表され、それぞれ５．００Ｖ〜１０．０Ｖまでの電源電圧の値に対応づけられている。すなわち、ここでは制御パラメタの値０が５．００Ｖに、値１が５．０８Ｖに、というように、各制御パラメタの値が０．０８Ｖずつ異なる複数の電源電圧の値のいずれかに対応づけられている。電力制御部３８は、このＳ３で決定した制御パラメタを電源出力部４０に対して出力する（Ｓ４）。
【００３９】
電源出力部４０は、電源回路等を含んで構成され、電力供給源（電池など）から供給される電力を、主電源線Ｐｍ１，Ｐｍ２及びＰｍ３のそれぞれに対して出力する。ここで、電源出力部４０は、電力制御部３８が前述したＳ４の処理で出力する制御パラメタの値に応じて、主電源線Ｐｍ１，Ｐｍ２及びＰｍ３のそれぞれに対して供給する電力を制御する。ここでは具体的に、電源出力部４０は、各部分領域について算出された制御パラメタの値に対応する５．００Ｖ〜１０．０Ｖまでの範囲のいずれかの電圧値に応じて、各主電源線Ｐｍに対して印加する電圧を変化させる。こうして、各部分領域に対して、互いに異なる電圧で電力を供給することが可能となる。また、ここでは、各部分領域に対して印加する電圧を、当該部分領域内の発光画素数や発光量などの、当該部分領域に表示するべき画像に関する指標値に応じて変化させている。こうすれば、より電圧降下の影響が生じやすいと予想される部分領域に対して、高い電圧での電力供給を行うことで、画面内輝度傾斜の影響を軽減ができる。
【００４０】
なお、以上の説明においては、入力される画像データに応じて各部分領域に対して供給する電力を制御することとしたが、これに限らず、画像表示装置１は各部分領域の表示領域ＳＡ内の位置に応じて、当該部分領域に対して供給する電力の大きさを制御することとしてもよい。例えば電力制御部３８は、表示領域ＳＡの中心位置に近い部分領域ほど、より大きな電力を供給し、逆に表示領域ＳＡの中心位置から離れた部分領域に対しては、より小さな電力を供給するように電源出力部４０を制御してもよい。
【００４１】
具体例として、電源出力部４０は、部分領域Ａ２に対応する主電源線Ｐｍ２に対しては他の主電源線Ｐｍ１及びＰｍ３より高い電圧を出力し、部分領域Ａ１及びＡ３に対応する主電源線Ｐｍ１及びＰｍ３に対しては、主電源線Ｐｍ２より低い電圧を出力してもよい。図８、図９Ａ及び図９Ｂは、この場合における表示画面内の輝度について説明するための図である。図８は表示領域ＳＡにおけるＡ−Ａ’線及びＢ−Ｂ’線の位置を示しており、図９Ａは、表示領域ＳＡ内の全画素を最大（１００％）の輝度で点灯した際の、このＡ−Ａ’線に沿った画素の輝度分布を示している。同様に、図９ＢはＢ−Ｂ’線に沿った画素の輝度分布を示している。なお、図９Ａ及び図９Ｂの縦軸Ｌは輝度を示している。これらの図の例では、表示領域ＳＡのｘ軸方向における中心を示す中心線の近傍で、輝度が高くなり、画面左右両端に近い位置では相対的に輝度が低くなる。こうすれば、閲覧者の注目を集めやすい画面中央近傍の部分領域Ａ２における輝度を下げることなく、主電源線Ｐｍ１及びＰｍ３に出力する電圧を下げて、消費電力を抑えることができる。
【００４２】
［第２実施形態］
次に、本発明の第２の実施形態に係る画像表示装置について、説明する。なお、本実施形態に係る画像表示装置に関して、第１実施形態と同様の構成や機能についてはその説明を省略し、以下では第１実施形態と異なる部分についてだけ説明する。また、第１実施形態と同様の構成要素については、同一の参照符号を用いて参照する。
【００４３】
本実施形態では、表示領域ＳＡ内における部分領域の配置、及びこの部分領域の配置に対応する主電源線Ｐｍの配置が第１実施形態とは異なっている。図１０は、本実施形態における表示領域ＳＡ内の部分領域の配置を示す概略平面図である。同図に示されるように、本実施形態では、表示領域ＳＡは３個の部分領域Ａ４〜Ａ６に分割されている。ここでは図５に示す第１実施形態の例とは異なり、同じ画素行Ｐrowに属する画素が同じ部分領域に含まれるように、表示領域ＳＡはその左右方向（ｘ軸方向）に沿って３個に分割されている。
【００４４】
さらに、本実施形態では、各部分領域に対してそれぞれ複数の主電源線Ｐｍから電力供給が行われる。すなわち、部分領域Ａ４内の各画素に対しては２本の主電源線Ｐｍ４から、部分領域Ａ５内の各画素に対しては２本の主電源線Ｐｍ５から、部分領域Ａ６内の各画素に対しては２本の主電源線Ｐｍ６から、それぞれ電力供給が行われる。
【００４５】
これらの主電源線Ｐｍを介して供給される電力の大きさは、第１実施形態において説明した例と同様に、対応する部分領域内に表示すべき画像の内容に応じて制御されることとしてもよい。あるいは、各部分領域の表示領域ＳＡ内における位置に応じて、各部分領域に供給される電力の大きさが制御されることとしてもよい。
【００４６】
図１１Ａ及び図１１Ｂは、図１０に示す本実施形態の部分領域の配置において、対応する各部分領域の位置に応じて出力電圧を制御した場合の輝度分布の一例を示している。なお、これらの図は図９Ａ及び図９Ｂと同様に、図８に示すＡ−Ａ’線及びＢ−Ｂ’線に沿った画素の輝度分布を示している。この図１１Ａ及び図１１Ｂにおいては、電源出力部４０は、表示領域ＳＡの中心を含む部分領域Ａ５に対応する主電源線Ｐｍ５に対しては、他の主電源線Ｐｍ４及びＰｍ６より高い電圧を出力し、部分領域Ａ４及びＡ６に対応する主電源線Ｐｍ４及びＰｍ６に対しては、主電源線Ｐｍ５より低い電圧を出力することとしている。この場合、図１１及び図１１Ｂに示すように、表示領域ＳＡのｙ軸方向の中心を示す中心線の近傍で輝度が高くなり、画面上下両端に近い位置では相対的に輝度が低くなっている。これにより、図９Ａ及び図９Ｂの例と同様に、閲覧者の注目を集めやすい画面中央近傍の部分領域Ａ５における輝度を下げることなく、主電源線Ｐｍ４及びＰｍ６に出力する電圧を下げて、消費電力を抑えることができる。
【００４７】
［第３実施形態］
次に、本発明の第３の実施形態に係る画像表示装置について、説明する。なお、本実施形態に係る画像表示装置についても、表示領域ＳＡ内における部分領域の配置、及びこの部分領域の配置に対応する主電源線Ｐｍの配置を除けば、他の実施形態と同様の構成を備えている。
【００４８】
図１２は、本実施形態における表示領域ＳＡ内の部分領域の配置を示す概略平面図である。同図に示されるように、本実施形態では、表示領域ＳＡは縦３個、横３個で計９個の部分領域Ａ７〜Ａ１５に分割されている。そして、部分領域Ａ７〜Ａ１５のそれぞれに含まれる各画素に対して、互いに独立した主電源線Ｐｍ７〜Ｐｍ１５を介して電力供給が行われる。
【００４９】
これらの主電源線Ｐｍを介して供給される電力の大きさは、第１及び第２実施形態において説明した例と同様に、対応する部分領域内に表示すべき画像に応じて制御されることとしてもよい。あるいは、各部分領域の表示領域ＳＡ内における位置に応じて、各部分領域に供給される電力の大きさが制御されることとしてもよい。
【００５０】
具体例として、本実施形態に係る画像表示装置は、表示領域ＳＡの中心を含む部分領域Ａ１１に対応する主電源線Ｐｍ１１に対しては、他の主電源線Ｐｍと比較して相対的に高い電圧を出力することとしてもよい。さらに、その重心位置がより表示領域ＳＡの中心より離れた部分領域Ａ７，Ａ９，Ａ１３及びＡ１５のそれぞれに対応する主電源線Ｐｍ７，Ｐｍ９，Ｐｍ１３及びＰｍ１５に対して出力する電圧は、相対的に表示領域ＳＡの中心位置に近い部分領域Ａ８，Ａ１０，Ａ１２及びＡ１４のそれぞれに対応する主電源線Ｐｍ８，Ｐｍ１０，Ｐｍ１２及びＰｍ１４に対して出力する電圧より低くすることとしてもよい。この場合、図８に示すＡ−Ａ’線及びＢ−Ｂ’線に沿った画素の輝度分布は、それぞれ図９Ａ及び図１１Ｂに示したものと同様のものになる。これにより、閲覧者の注目を集めやすい画面中央近傍の部分領域Ａ１１における輝度を下げることなく、他の主電源線Ｐｍに出力する電圧を下げて、消費電力を抑えることができる。
【００５１】
なお、本実施形態では、これまで説明した他の実施形態と異なり、一部の部分領域（具体的には部分領域Ａ１１）は表示領域ＳＡの外周に接していない。そのため、表示領域ＳＡの外周に沿って配置した主電源線Ｐｍだけで各部分領域への電力供給を行うことができず、部分領域Ａ１１に電力供給を行うための主電源線Ｐｍ１１は他の部分領域内を通るように配置する必要がある。この場合でも、例えば図４の断面図におけるガラス基板ＳＵＢ１のすぐ上の位置など、画素回路１０が形成される層とガラス基板ＳＵＢ１との間の層に主電源線Ｐｍを形成することによって、他の部分領域内の画素回路１０と干渉しないように、表示領域ＳＡ内に主電源線Ｐｍを配置することができる。
【００５２】
以上説明した本発明の実施の形態に係る画像表示装置によれば、発光素子を発光させるために各画素に対して供給される電力を、表示領域内の位置に応じて制御することができる。これによって、画面内の位置に依存して輝度が変化する画面内輝度傾斜を抑えたり、閲覧者が感じる見かけの輝度を下げずに各画素内の発光素子を発光させるために必要な電力を抑えたりすることができる。
【００５３】
なお、本発明の実施の形態に係る画像表示装置は、パソコン用ディスプレイ、ＴＶ放送受信用ディスプレイ、公告表示用ディスプレイ等の各種の情報表示用の表示装置として採用できる。また、デジタルスチルカメラ、ビデオカメラ、カーナビゲーションシステム、カーオーディオ、ゲーム機器、携帯情報端末など、各種の電子機器の表示部として利用することも可能である。
【００５４】
［変形例］
以下、本発明の実施形態に係る画像表示装置のいくつかの変形例について、説明する。
【００５５】
まず、本発明の実施形態に係る画像表示装置において、他の部分領域とは独立に電力供給が行われる一つの部分領域は、さらに互いに分離した複数の小領域から構成されることとしてもよい。具体例として、ｘ軸方向又はｙ軸方向に沿って表示領域ＳＡを複数の小領域に分割し、これら小領域のうち、一つおきに配置された複数の小領域からなる第１の部分領域に対しては第１の主電源線Ｐｍから電力を供給し、それ以外の複数の小領域からなる第２の部分領域に対しては第２の主電源線Ｐｍから電力を供給することとしてもよい。この場合にも、表示領域ＳＡを複数の部分領域に分割し、そのそれぞれに対して互いに独立に電力供給を行うことができるので、表示領域ＳＡ内の各画素が一斉に点灯する際に生じる画面内輝度傾斜の影響を低減することができる。さらに、このように各部分領域が画面全体に分散して配置される小領域から構成されることによって、例えば表示領域ＳＡの一部の範囲に発光対象の画素が集中した場合にも、当該範囲が複数の部分領域にまたがる可能性が高くなり、画面内輝度傾斜の影響を低減しやすくなる。
【００５６】
また、部分領域の少なくとも一部は、隣接する他の部分領域と重なり合う領域を含むように配置されてもよい。この場合、他の部分領域との重複領域においては、それぞれ独立した主電源線Ｐｍから電力供給を受ける画素行Ｐrow又は画素列Ｐcolが互い違いに配置されるなど、それぞれ独立した主電源線Ｐｍから電力供給を受ける画素が混在することになる。こうすれば、互いに隣接する部分領域の境界近傍で、本来同じ輝度で発光するべき画素の輝度が急激に変化してしまう現象を抑え、部分領域の境界を目立たないようにすることができる。
【００５７】
また、各主電源線Ｐｍに対して供給する電力の大きさを制御する電力制御部３８は、各部分領域の位置や各部分領域内に表示する画像に関する情報だけでなく、他の条件に応じて電力供給の制御を行ってもよい。すなわち、例えば電力制御部３８は、画像表示装置１の外部環境（外光の明るさなど）に応じて各主電源線Ｐｍに供給する電力の大きさを変化させてもよい。具体例として、電力制御部３８は、外光の明るさに関する情報を光センサの出力などによって定期的に取得し、当該取得した情報に応じて複数の表示モードの中から表示モードを選択する。そして、選択した表示モードに応じて、表示画面全体の明るさを変化させるように、各主電源線Ｐｍに供給する電力の大きさを変化させる。このとき、電力制御部３８は取得した情報に応じて全ての主電源線Ｐｍの供給電力を共通して変化させてもよいし、各主電源線Ｐｍの供給電力を独立に変化させてもよい。例えば、表示画面に対して互いに異なる方向に配置された複数の光センサそれぞれの出力に応じて、複数の部分領域のそれぞれに対して互いに異なる電圧値で電力供給を行ってもよい。
【００５８】
また、電力制御部３８は、表示されるアプリケーションコンテンツの内容に応じて、各主電源線Ｐｍに対する供給電力を変化させてもよい。具体的には、例えばメニュー画面を表示する場合と写真画像を表示する場合とで供給電力を変更することとしてもよい。この場合、例えば電力制御部３８は、画像データ制御部３２から表示画像の種別に関する情報を取得し、この取得した情報に応じて供給電力を制御する。
【００５９】
さらに、電力制御部３８は、継続動作時間や過去に表示した画像の内容に応じて各主電源線Ｐｍに対する供給電力を変化させてもよい。具体例として、電力制御部３８は、一定時間画像内容に変化がない部分領域が存在する場合に、当該部分領域に対して供給する電力を抑制する制御を行う。このような制御を実現するために、例えば電力制御部３８は、所定時間おきに部分領域ごとの画像内容に関する統計情報を算出し、この統計情報が前回算出時から所定の閾値以上変化している場合に、画像に変化があったと判定し、その変化のタイミングを示す情報（例えば時刻情報）をメモリの所定領域に書き込む。そして、このタイミングを示す情報を定期的に参照することによって、各部分領域に表示する画像内容が最後に変化してから所定時間が経過したか否かを判定する。このような制御によれば、例えばメニュー表示などによって表示画面内の所定の部分領域に同じ画像が表示され続けている場合に、当該部分領域だけに供給する電力を抑えることによって、他の領域の輝度を下げることなく、当該部分領域の焼き付けを生じにくくするよう制御できる。
【００６０】
なお、以上説明した電力制御部３８が各主電源線Ｐｍへの供給電力を決定するために用いる各種の条件は、組み合わせて用いられることとしてもよい。例えば電力制御部３８は、各条件によって決まる評価値を合算して算出される制御パラメタに応じて、各主電源線Ｐｍに印加する電圧を変化させてもよい。また、電力制御部３８は、外光が所定の閾値以上の明るさのときには各部分領域の表示領域ＳＡ内における位置に応じた電力制御（例えば画面中央近傍の部分領域の輝度を高める制御）を実行し、外光が所定の閾値未満の明るさの場合にはこのような制御を実行せずに画面全体を均一の輝度で発光させることとしてもよい。
【００６１】
なお、以上の説明においては発光素子として有機ＥＬ素子を用いることとしたが、これに限らず、本発明の実施の形態に係る画像表示装置は、例えば無機ＥＬ素子やＦＥＤ（Field-Emission Device）など、入力される電流や電圧に依存して輝度が変化する各種の発光素子を用いた画像表示装置であってよい。また、画素回路の構成や画素の発光制御方法も、以上説明したものに限らず、他の構成や方法であってもよい。
【符号の説明】
【００６２】
１  画像表示装置、２  表示パネル、３  フレキシブルプリント基板、４  リジッド基板、１０  画素回路、１２  データ信号出力回路、１４  走査回路、２０  有機ＥＬ素子、２２  共通電極、２４  点灯スイッチ、２６  駆動ＴＦＴ、２８  リセットスイッチ、３０  保持容量、３２  画像データ制御部、３４  駆動回路制御部、３６  領域画像情報取得部、３８  電力制御部、４０  電源出力部、ＤＡＴ  データ信号線、ＩＬＭ  点灯スイッチ制御線、Ｐｍ  主電源線、ＰＷＲ  電源線、ＲＥＳ  リセットスイッチ制御線、ＳＡ  表示領域。
【図１】
2010164619.tif 000003
【図２】
2010164619.tif 000004
【図３】
2010164619.tif 000005
【図４】
2010164619.tif 000006
【図５】
2010164619.tif 000007
【図６】
2010164619.tif 000008
【図７】
2010164619.tif 000009
【図８】
2010164619.tif 000010
【図９Ａ】
2010164619.tif 000011
【図９Ｂ】
2010164619.tif 000012
【図１０】
2010164619.tif 000013
【図１１Ａ】
2010164619.tif 000014
【図１１Ｂ】
2010164619.tif 000015
【図１２】
2010164619.tif 000016